(57)【要約】      （修正有）【課題】吸水、防水及び保湿の効果を兼備し、使用上の利便性が向上された防水性能付き生体信号検知構造を提供する。【解決手段】少なくとも一つの電極片１１と、防水性底層２０と、少なくとも一つの吸水手段と、防水性上層４０とを含んだ組立構造であり、防水性底層２０の上面に電極片１１が設けられ、電極片１１と防水性底層２０との間に第１の受容室が形成され、第１の受容室内に吸水手段が位置決めされ、吸水手段の天井部が電極片１１に接し、吸水手段の底部が防水性底層２０に接触され、防水性底層２０の上面に防水性上層４０が重ねられ、防水性上層４０は、電極片１１が露出するよう対応して設けられた少なくとも一つの上層開口４１を有し、電極片１１の上面周縁に上層開口４１の底面周縁が対応して重ねられ、上層開口４１から電極片の中間部分が突出された。【選択図】図１
0003178230.tif 000002
【実用新案登録請求の範囲】
【請求項１】
防水性底層と、
前記防水性底層の上面に設けられ、前記防水性底層との間に第１の受容室が形成された少なくとも一つの電極片と、
前記第１の受容室内に位置決めされ、天井部が前記電極片に接し、底部が前記防水性底層に接触される少なくとも一つの吸水手段と、
前記防水性底層の上面に重ねられるとともに、前記電極片が露出するよう対応して設けられた少なくとも一つの上層開口を有し、前記電極片の上面周縁に前記上層開口の底面周縁が対応して重ねられ、前記上層開口から前記電極片の中間部分が突出された防水性上層と、
を含む防水性能付き生体信号検知構造。
【請求項２】
前記電極片は、複数の非導電性繊維の糸と複数の導電性繊維の糸で編組して構成され、前記電極片の複数の導電性繊維の糸で導電領域を編組することを特徴とする請求項１に記載の防水性能付き生体信号検知構造。
【請求項３】
前記電極片全体は、複数の導電性繊維の糸で編組して構成されることを特徴とする請求項１に記載の防水性能付き生体信号検知構造。
【請求項４】
前記吸水手段の底部に滑り止めが間隔をおいて複数設けられ、前記防水性底層の上面に対応する滑り止めが間隔をおいて複数設けられ、前記対応する滑り止めの個々が前記各滑り止めと互いに対応され、前記対応する滑り止めが前記滑り止めに対応して係合されていることを特徴とする請求項１に記載の防水性能付き生体信号検知構造。
【請求項５】
前記吸水手段は、綿紙、綿生地、シリコン、吸水性発砲プラスチックのうち一つであることを特徴とする請求項１に記載の防水性能付き生体信号検知構造。
【請求項６】
前記吸水手段は、ポリアクリル酸ナトリウムで構成された部材であることを特徴とする請求項１に記載の防水性能付き生体信号検知構造。
【請求項７】
前記吸水手段は、弾性体であることを特徴とする請求項１に記載の防水性能付き生体信号検知構造。
【請求項８】
前記防水性底層は、互いに重ね合う防水上層と布地下層とを含み、前記防水上層が前記各吸水手段に接触されることを特徴とする請求項１に記載の防水性能付き生体信号検知構造。
【請求項９】
前記防水性上層は、互いに重ね合う布地上層と防水下層とを含み、前記上層開口が前記布地上層と前記防水下層とを貫通するとともに前記電極片を露出させ、且つ、前記防水性底層の上面に前記防水下層が重ねられていることを特徴とする請求項１に記載の防水性能付き生体信号検知構造。
【請求項１０】
第１の結合層をさらに有し、前記防水性上層の底面に前記第１の結合層が重ねられ、前記第１の結合層は少なくとも一つの結合層開口を有し、前記少なくとも一つの結合層開口が前記少なくとも一つの上層開口に対応され、前記電極片の上面周縁に前記結合層開口の底面周縁が対応して重ねられ、前記結合層開口及び前記上層開口から前記電極片の中間部分が突出されていることを特徴とする請求項１に記載の防水性能付き生体信号検知構造。
【請求項１１】
前記第１の結合層は、熱溶融型接着剤、接着剤又は接着テープのうち一つであることを特徴とする請求項１０に記載の防水性能付き生体信号検知構造。
【請求項１２】
前記防水性底層は、熱溶融型接着剤、接着剤又は接着テープのうち一つであることを特徴とする請求項１に記載の防水性能付き生体信号検知構造。
【請求項１３】
第２の結合層をさらに有し、前記防水性底層の底面に前記第２の結合層が重ねられていることを特徴とする請求項１に記載の防水性能付き生体信号検知構造。
【請求項１４】
前記第２の結合層は、熱溶融型接着剤、接着剤又は接着テープのうち一つであることを特徴とする請求項１３に記載の防水性能付き生体信号検知構造。
【請求項１５】
前記少なくとも一つの電極片は、複数の電極片を有し、前記防水性底層の上面に前記各電極片が間隔をおいて設けられ、前記各電極片と前記防水性底層との間に第１の受容室がそれぞれ形成され、前記少なくとも一つの吸水手段は、複数の吸水手段を有し、前記各第１の受容室内に前記各吸水手段がそれぞれ位置決めされ、前記各吸水手段の天井部が前記各電極片にそれぞれ接し、前記各吸水手段の底部が前記防水性底層にそれぞれ接触され、また、前記防水性上層の少なくとも一つの上層開口は、複数の上層開口を含み、前記各上層開口が前記各電極片に対応して前記防水性上層に間隔をおいて設けられ、前記各上層開口から前記各電極片の中間部分が突出されていることを特徴とする請求項１に記載の防水性能付き生体信号検知構造。
【請求項１６】
前記少なくとも一つの電極片は、複数の電極片を有し、前記防水性底層の上面に前記各電極片が間隔をおいて設けられ、前記各電極片と前記防水性底層との間に第１の受容室がそれぞれ形成され、前記少なくとも一つの吸水手段は、複数の吸水手段を有し、前記各第１の受容室内に前記各吸水手段がそれぞれ位置決めされ、前記各吸水手段の天井部が前記各電極片にそれぞれ接し、前記各吸水手段の底部が前記防水性底層にそれぞれ接触され、また、互いに隣接する何れか２つの電極片間に防水性接続片が接続され、前記防水性接続片と前記防水性底層との間に第２の受容室が形成され、前記電極片と前記防水性接続片とが互いに接続して前記防水性底層の形状に対応する対応層を形成し、前記上層開口から前記対応層１０の各電極片の中間部分が突出されていることを特徴とする請求項１に記載の防水性能付き生体信号検知構造。
【請求項１７】
前記各電極片には少なくとも一本の延長導線がさらに結合され、前記各延長導線の一端が前記各電極片内に延在して電気的に接続され、前記各延長導線の他端が前記各電極片の一側縁から延出されていることを特徴とする請求項１６に記載の防水性能付き生体信号検知構造。
【請求項１８】
前記吸水手段は、少なくとも一つの蓄水フィラーと、該蓄水フィラーを覆う受容袋とをさらに含み、前記受容袋の底部に滑り止めが間隔をおいて複数設けられ、前記防水性底層の上面に対応する滑り止めが間隔をおいて複数設けられ、前記対応する滑り止めの個々と前記各滑り止めと互いに対応され、前記対応する滑り止めが前記滑り止めに対応して係合されていることを特徴とする請求項１に記載の防水性能付き生体信号検知構造。
【請求項１９】
前記蓄水フィラーは、綿紙、綿生地、シリコン、吸水性発砲プラスチックのうち一つであることを特徴とする請求項１８に記載の防水性能付き生体信号検知構造。
【請求項２０】
前記蓄水フィラーは、ポリアクリル酸ナトリウムで構成された部材であることを特徴とする請求項１８に記載の防水性能付き生体信号検知構造。
【請求項２１】
前記受容袋は、互いに重ね合う透水性上層と防水下層とを含み、前記防水下層が前記防水性底層に接し、前記透水性上層が前記電極片に接触され、前記防水下層の下面に前記複数の滑り止めが設けられることを特徴とする請求項１８に記載の防水性能付き生体信号検知構造。
【請求項２２】
前記透水性上層は、布地層、紙材層又は半透明樹脂のうち一つであることを特徴とする請求項２１に記載の防水性能付き生体信号検知構造。
【請求項２３】
前記吸水手段は突起状であることを特徴とする請求項１に記載の防水性能付き生体信号検知構造。
【考案の詳細な説明】
【技術分野】
【０００１】
本考案は、防水性能付き生体信号検知構造に係り、特に、吸水、防水及び保湿の効果を兼備することで電極片が湿潤され、生体信号を検出する導電効果が向上し、且つ乾燥地区において人体の生体信号への検出に適用され、人の体の表面に接するように構成された生体信号検知構造に関るものである。
【背景技術】
【０００２】
現在、人の心拍、脳波などの生体信号を計測する際に、人体の表面（体表とも称し）の異なる部位に生理計測機器の複数の電極片がそれぞれ貼付（又は装着）され、これらの電極片により神経衝動（すなわち、膜電位の変化）が人体の器官（例えば、心臓や頭部）を通ったときに周囲組織又は体表に拡散された電流を検出し、さらに電線を介して前記電流が生理計測機器に伝送され、データに変換して表示されることによって、被計測部位の状況（例えば、心拍頻度や脳波変化）が分かるようになる。
【考案の概要】
【考案が解決しようとする課題】
【０００３】
上記従来の電極片は、主に、ベース層（例えば、導電コロイド層）と、ベース層に結合された導電部とで構成され、生体信号を計測するときに、ベース層の粘着性或いは導電用の水性ゲルがさらに塗布されることにより体表（例えば、皮膚）を湿潤し、体表の電流がベース層、導電部及び電線を経て生理計測機器に流れるようになる。一方で、生理計測機器から体表に電流を伝送することにより、体表に深く進入して治療すべき部位を刺激する場合、所謂、電極治療となる。
【０００４】
しかしながら、前記従来の電極片のベース層と組み合わせて使用される水性ゲルとが、透気し難く且つ過敏を生じる問題があり、いずれも使用上に不快適性となり、しかも、人の体表に皮屑（乾性皮膚の場合に生じられ）及び油脂（油性皮膚の場合に生じられ）などの物質が排出され、ベース層に付着し易く電流の伝導に妨害となり、しかも人体に体温があるので、体表の水分が（蒸発して）失われ易く、或いは組み合わせられたゲルが乾いてしまい、湿潤状態に形成されなくなり、ベース層に接着性が失って剥離され、同じく電流の伝導に影響が与えられ生体信号を検出し難くなり、特に乾燥な環境では、水分が保持し難く、検出中止という事態が招き易く、さらにベース層が亀裂してしまうこともありうる。
【０００５】
また、複数の従来の電極片を用いるときに、各従来の電極片同士が隣接して位置すれば、互いに接触し易くなり、ショート（short circuit）になってしまう場合もある。
【０００６】
上記に鑑み、本考案の創作者は、専念に研究や設計、組み立てをし、吸水、防水及び保湿の効果を兼備することで、生体信号を検知する導電効果が向上し、且つ乾燥地区において人体の生体信号への検出に適用し易く、使用上の利便性が向上される防水性能付き生体信号検知構造の提供を期することは、本考案が創作しようとする動機である。
【０００７】
本考案は、吸水、防水及び保湿の効果を兼備することで、水分が早く失われることを防ぐとともに電極片を湿潤し易く、生体信号を検出する導電効果が向上されるとともにノイズ干渉が低下され、且つ乾燥地区において人体の生体信号への検出に適用し易く、使用上の利便性が向上される防水性能付き生体信号検知構造を提供することを主な目的とする。
【０００８】
本考案は、結合して使用し易くなる外、位置決めの効果を有するよう熱可塑性結合層が結合することで、電流伝導への影響が降下された防水性能付き生体信号検知構造を提供することを次の目的とする。
【０００９】
本考案は、体の表面に接して緊密に貼り付け易くなるよう吸水の後に目立つ突起を有する防水性能付き生体信号検知構造を提供することを他の目的とする。
【課題を解決するための手段】
【００１０】
前記目的を達成するため、本考案に係る防水性能付き生体信号検知構造は、防水性底層と、前記防水性底層の上面に設けられ、前記防水性底層との間に第１の受容室が形成された少なくとも一つの電極片と、前記第１の受容室内に位置決めされ、天井部が前記電極片に接し、底部が前記防水性底層に接触される少なくとも一つの吸水手段と、前記防水性底層の上面に重ねられるとともに、前記電極片が露出するよう対応して設けられた少なくとも一つの上層開口を有し、前記電極片の上面周縁に前記上層開口の底面周縁が対応して重ねられ、前記上層開口から前記電極片の中間部分が突出された防水性上層とを含むことによって、吸水、防水及び保湿の効果を有し、水分が早く失われることを防ぐ外、外部液体の滲入による電流伝導への影響が防止できるとともにノイズ干渉が低下され、電極片を湿潤し易くなり、さらに吸水手段による吸水によって各電極片を隆起させ、体の表面に電極片を接して緊密に貼り付け易くなることで被計測者の生体信号を検出し易くなり、使用上の利便性が向上され、さらに、熱可塑性結合層（例えば、第１結合層又は第２結合層）が付加されることによって、結合して使用し易くなる外、位置決めの効果を有し、該電極片に吸水手段を位置合わせ易くなり、さらに滑りによる電流伝導への影響が避けられる効果を備える。
【００１１】
本考案の特徴、特点及び技術内容をさらに深く了解を得るため、以下の本考案に係る詳細説明及び添付図面を参照すれば得られるが、前記添付図面は参考や説明のみ提供され、本考案を局限するものではない。
【図面の簡単な説明】
【００１２】
【図１】本考案に係る生体信号検知構造を示す斜視図である。
【図２】図１のＡ―Ａ線に沿った断面図である。
【図３】図１のＢ―Ｂ線に沿った断面図である。
【図４】図２の生体信号検知構造において、防水性上層に単一の上層開口が改めて開設され、各電極片に延長導線が延設されるとともに各電極片間に防水性接続片が加えられ、互いに重ね合う防水性上層及び布地下層で防水性底層を構成する実施態様を示す図である。
【図５】図１の防水性上層に単一の上層開口が改めて開設され、各電極片間に防水性接続片が加えられるとともに各電極片に延長導線が延設される実施態様を示す分解斜視図である。
【図６】本考案に係る生体信号検知構造の簡単な実施例を示す図である。
【図７】図６の分解斜視図である。
【図８】図６の生体信号検知構造において、互いに重ね合う防水性上層及び布地下層で防水性底層を構成し、且つ、互いに重ね合う布地上層及び防水性下層で防水性上層を構成する実施態様を示す断面図である。
【図９】図７の生体信号検知構造において、防水性底層よりも防水性上層の方が大きく、第１の結合層をさらに含む実施態様を示す分解斜視図である。
【図１０】図９の生体信号検知構造の組立後の断面図である。
【図１１】図１０の生体信号検知構造において、第２の結合層をさらに含む実施態様を示す図である。
【図１２】蓄水フィラーと受容袋とで吸水手段を構成する断面図である。
【図１３】図１２における受容袋が互いに重ね合う透水性上層と防水性下層とを有するとともに、吸水後に該吸水手段が膨張され突起状となる実施例を示す図である。
【図１４】本考案に係る生体信号検知構造が前開き式の上着内に結合される実施例を示す図である。
【考案を実施するための形態】
【００１３】
図１〜図１３に示すように、本考案は、防水性能付き生体信号検知構造であって、生体信号検知構造１は、少なくとも一つの電極片１１と、防水性底層２０と、少なくとも一つの吸水手段３０と、防水性上層４０とを含んだ組立構造であり、電極片１１は、体の検知すべき部位の表面に接触するための部分であって、電極片１１に吸水手段３０が対応して配置され、また、生体信号検知構造１全体は、防水性上層４０のみに電極片１１の中間部分を露出させるよう防水性底層２０と防水性上層４０とを互いに重ねて形成され、また、互いに重ねられた防水性底層２０と防水性上層４０がサイズ及び形状の対応する構造設計であれば(図６を参照）、装着物（図１４の衣服５０を参照）に防水性底層２０が直接的に接続できるが、これに限らず、本考案は、防水性底層２０よりも防水性上層４０のサイズを大きく設計し（図１を参照）、装着物に防水性上層４０の周縁を直接的に接続させても良い。
【００１４】
本考案の生体信号検知構造１は、その簡易な構造として、図６、図７に示すように、単一の電極片１１を用いて構成され、防水性底層２０の上面に電極片１１が設けられ、少なくとも一つの電極片１１と防水性底層２０との間に第１の受容室Ｓ１が形成され、第１の受容室Ｓ１内に吸水手段３０が位置決めされ、吸水手段３０の天井部が電極片１１に接するとともに底部が防水性底層２０に接触され、また、防水性底層２０の上面に防水性上層４０が重ねられ、防水性上層４０は少なくとも一つの上層開口４１を有し、少なくとも一つの上層開口４１は前記電極片が露出するよう対応して設けられ、電極片１１の上面周縁に上層開口４１の底面周縁が対応して重ねられ、上層開口４１から電極片１１の中間部分が突出された。
【００１５】
よって、本考案は、吸水性の効果を有する外、防水及び保湿の効果も有し、電極片１１の中間部分からのみ導電用の水分が生体信号検知構造１内にしか入らないように吸水手段３０によって吸収、格納され、導電用の水分が排出されたときも、電極片１１の中間部分を通らなければならないため、電極片１１を吸水手段３０により湿潤し易くなり、生体信号検知構造１内の水分が早く蒸発して失われることが遅延され、生体信号検知構造１内に他の液体（例えば、油漬け）が滲入されることにより導電効果が影響されることも防止できる。
【００１６】
実際に実施されるときに、本考案の生体信号検知構造１は、電極片１１の使用数量に応じて異なる実施形態がある。単一の電極片１１を用いる場合に、本考案の生体信号検知構造１が結合された装着物（図示せず、例えば、腕帯又はリストバンド）は、人体の手首（図示せず）に設けられ、さらに電子装置（図示せず、例えば、マルチメディアプレーヤ）が配置され、電子装置の他端に付属部材（図示せず、例えば、イヤホン）が電気的に接続され、付属部材が体の他の部位（例えば、耳部）に設けられ、アース（Ground）（又は導電負極）として使用されることにより、検出回路が形成されている。複数の電極片１１を用いる場合に、本考案の生体信号検知構造１は、上記の手首に設けられるとは限らず、図１４に示すように、衣服５０に結合され、衣服５０内の２つの電極片１１を介して検出回路が形成されても良い。
【００１７】
電極片１１は、複数の非導電性繊維の糸と複数の導電性繊維の糸とで編組してなり、複数の非導電性繊維の糸と複数の導電性繊維の糸の交絡間に複数の網目１１１が形成され、さらに、電極片１１の複数の導電性繊維の糸で導電領域１１２に編組され、導電領域１１２が電極片１１の中間部分に位置されることにより、検出しようとする体の表面に接触し易くなり、また、電極片１１は、複数の綱目１１１を介して、電流を伝導し易くなるよう給電媒体（例えば、水もしくは生理食塩水）の浸透が容易となり、塵埃などの不純物による電極片１１内への侵入も遮断され、後続の洗浄（不純物を除去）及びメンテナンスを容易に行えるようになり、導電領域１１２への干渉が低下するとともにノイズの発生が減少され、さらに、吸水手段３０が浸透された水分をより吸収し易くなり、保湿の効果も達成できる。本実施例では、電極片１１全体は、複数の導電性繊維の糸で編組しても良い、このように、電極片１１全体が導電効果を有し、接触面積が向上され、より検出に用い易くなる。
【００１８】
また、第１の受容室Ｓ１内に吸水手段３０を規制し、該吸水手段３０を電極片１１と対応して均一に接するとともに湿潤させるため、図２及び図３に示すように、吸水手段３０の底部に滑り止め３１（例えば、凸リブ又は凹溝）が間隔をおいて複数設けられ、防水性底層２０の上面に複数の対応する滑り止め２１（例えば、凹溝又は凸リブ）が間隔をおいて設けられ、対応する滑り止め２１の個々が各滑り止め３１と互いに対応され、第１の受容室Ｓ１ごと内に吸水手段３０ごとが安定的に立たされるように、これらの対応する滑り止め２１がこれらの滑り止め３１に対応して係合され、吸水手段３０が滑ると電極片１１の外面に不均一な突起が形成されることが防止できる。一方、実際に実施されるときに、対応する滑り止め２１を凸リブとし、滑り止め３１を該凸リブと対応して係合される凹溝とすることもできる。
【００１９】
吸水手段３０は、綿紙、綿生地、シリコン、吸水性発砲プラスチック、毛羽パルプ（例えば、紙パルプ）、ポリアクリル酸ナトリウム (sodium polyacrylate)、又は他の同等な効果を有するアクリル（propenoic acid)ポリマーからなる部材で、或いは他の同等な効果を有する高吸水性ポリマー（Superabsorbent polymers）からなることにより、製造するときに、使用可能となる類型が向上され、切り替えし易く、且つ単一の材料に局限されることが避けられる。
【００２０】
吸水手段３０が弾性体であり、その形状が実際の製造に応じて球状（又はブロック状）となることにより、製造し易い他、本考案の吸水手段３０は、弾性があって伸縮可能になるので、弯曲や曲折をし易く、その後も元の状態に戻り易く、このように体の表面に貼付されるときに、体の表面の曲線に沿ってスムーズに貼り付けられ、使用便利及び交換し易くなる。
【００２１】
防水性底層２０及び防水性上層４０は、熱可塑性プラスチック(thermoplastic)又は非熱可塑性プラスチック（例えば、熱硬化性プラスチック、英語でthermosetting polymer）であれば良い、或いは平織布、針織布、不織布…などの布地と組み合わせて作製されたシート状構造であっても良い。実際に実施されたときに、防水性底層２０は、ポリ塩化ビニル(polyvinyl chloride、略称PVC)、ポリウレタン(polyurethane、略称PU)、又は他のポリエステル繊維（polyester fiber）で編組して形成されたシート状の構造であることが好ましい。よって、加熱した後に防水性底層２０の上面と防水性上層４０の底面とがそれぞれ密接に結合され、防水性底層２０の底面も装着物に直接的に接続されることができ、導電用の水分（若しくは水気）が防水性底層２０から流出されることが防げられるとともにサイドからの水漏れも防止でき、電極片１１の中間部分を通る水分（若しくは水気）も早く蒸発して流失され難くなり、さらに、吸水手段３０に再び吸収されることもでき、各電極片１１を持続して湿潤させ長時間に亘って電流伝導を維持できることによって、水分（若しくは水気）が該生体信号検知構造１から容易に流出されることが防止でき、防水保湿の効果が達成できる。
【００２２】
本考案の防水性底層２０は上記に限られず、図４、図８に示すように、防水性底層２０は、互いに重なる防水上層２２と布地下層２３とを有し、各吸水手段３０に防水上層２２（例えば、ポリエステル繊維材で作製され）が接触されることで、防水の効果を有し、さらに防水上層２２が布地下層２３によって保護され、防水上層２２の上面に複数の対応する滑り止め２１が設けられ、衣服に布地下層２３が結合可能となっている。さらに、図８に示すように、本考案の防水性上層４０は、互いに重なる布地上層４２と防水下層４３とを含んでも良い、上層開口４１が布地上層４２と防水下層４３とを貫通するとともに電極片１１を露出させ、且つ、防水性底層２０の上面に防水下層４３が重ねられ、布地上層４２によって防水下層４３を保護する外、体の表面に接触し易くなるように防水性上層４０に快適、軽薄及び柔軟な触感が与えられる。防水性上層４０の防水下層４３は、布地上層４２上にシート構造のように熱圧着してラミネートされる外、塗布方式で形成されても良い、また、防水性底層２０の防水上層２２も布地下層２３に塗布方式で積層されても良い。
【００２３】
防水性底層２０と防水性上層４０とが何れも非熱可塑性プラスチック材で作製されたとき、図９、図１０に示すように、本考案は、第１の結合層６０をさらに有し、第１の結合層６０は、熱溶融型接着剤(HMA)又は接着剤であって塗布によって施され、熱可塑性ポリウレタンフィルム(thermoplastic   polyurethane film、略称TPU film) であっても良い。防水性上層４０の底面に第１の結合層６０が重ねられ、第１の結合層６０は少なくとも一つの結合層開口６１を有し、少なくとも一つの結合層開口６１が少なくとも一つの上層開口４１に対応され、電極片１１の上面周縁に結合層開口６１の底面周縁が対応して重ねられ、結合層開口６１及び上層開口４１から電極片１１の中間部分が突出されることによって、加熱を経てから防水性底層２０と防水性上層４０とが互いに密接されるとともに、防水性底層２０の上面に電極片１１が位置決めされることができる。一方、本考案を衣服に結合させようとする場合、第１の結合層６０が防水性上層４０の大きさと同等であるため、防水性上層４０の大きさが防水性底層２０よりも大きく（図１０を参照）、防水性上層４０の底面周縁に露出された第１の結合層６０が衣服に直接的に接続可能となっていることによって、加熱を経てから衣服に本考案の生体信号検知構造１を結合させることができ、防水性上層４０が防水性底層２０と同サイズである場合、図１１に示すように、本考案は、第２の結合層７０をさらに有し、第２の結合層７０は、第１の結合層６０と同じ材料（例えば、熱溶融型接着剤、接着剤又は接着テープ）で作製され、且つ、防水性底層２０の底面に第２の結合層７０が重ねられ、衣服に第２の結合層７０が直接的に接続されることによって、加熱を経てから衣服に本考案の生体信号検知構造１をも結合させることができ（図１４を参照）、このように、被検知者が装着した後に、両電極片１１の導電領域１１２を検知すべき部位に速やかに対応させて密接に貼り付け易くなり、個別に貼り付けるような事態が避けられる。
【００２４】
また、本明細書では、少なくとも一つの電極片とは、複数の電極片１１を含み、少なくとも一つの吸水手段３０とは、複数の吸水手段３０を含み、前記複数の用語とは、2以上の数を意味するので、本考案は、図１〜図３に示すように、実際に実施されたときの最適な例であり、すなわち、両吸水手段３０と両電極片１１を組み合わせて実施するとき、両電極片１１が防水性底層２０の上面に間隔をおいて設けられ（図2を参照）、各電極片１１と防水性底層２０との間に第１の受容空間Ｓ１がそれぞれ形成され、各第１の受容空間Ｓ１内に両吸水手段３０がそれぞれ位置決めされ、各電極片１１に各吸水手段３０の上面がそれぞれ接し、防水性底層２０に各吸水手段３０の底面がそれぞれ接触され、このように、吸水手段３０が各電極片１１を湿潤し易くなる。また、防水性上層４０の少なくとも一つの上層開口４１とは、複数の上層開口を含み、各上層開口４１が各電極片１１に対応して防水性上層４０に間隔をおいて設けられ、各上層開口４１から各電極片１１の中間部分が突出され、防水性上層４０の底面が防水性底層２０の上面と密接に結合され、各第１の受容空間Ｓ１にそれぞれ独自の保湿空間を有するよう形成されている。
【００２５】
しかし、防水性上層４０に一つの上層開口４１が開設される場合、図４及び図５に示すように、隣接する何れか２つの電極片１１間に少なくとも一つの防水性接続片１２がさらに接続され、防水性接続片１２は、熱可塑性プラスチック材又は非熱可塑性プラスチック材で作製され、非熱可塑性プラスチック材で作製された防水性接続片１２とすると、防水性底層２０との間に少なくとも一つの第２の受容室Ｓ２が形成され、これらの電極片１１と防水性接続片１２とが互いに接続して防水性底層２０の形状に対応する対応層１０を形成し、上層開口４１から対応層１０の各電極片１１の中間部分が突出されることによって、これらの電極片１１が防水性接続片１２を介して体の同一部位の対応側に（例えば、頭の左右両対向側、背中の左右両対向側、又は、胸の心臓部位、背の両対応側）に速やかに貼り付けることができ、各電極片１１間が互いに接触してショート（short circuit）になってしまうことが避けられる。一方、第２の受容室Ｓ２は、他の部品（例えば、電線や、センサ、コントローラ）を収容するためのものであるが、第２の受容室Ｓ２内に物が置かれていない場合、防水性接続片１２が防水性底層２０の上面に貼り付けられる。
【００２６】
電極片１１のサイズが大きいと、コストを削減するとともに、電極片１１を体表の電流と電気的に接続するため、さらに図４、図５に示すように、各電極片１１には少なくとも一本の延長導線１３（図４において下方の一部拡大図に示され）がさらに結合され、各延長導線１３の一端が各電極片１１内に延在して電気的に接続され（すなわち、導電領域１１２に電気的に接続され）、各延長導線１３の他端が各電極片１１の一側縁から延出されることによって、各電極片１１の延長導線１３が体表の電流と電気的に接続し易くなるよう、各吸水手段３０が吸水して膨張された後に各電極片１１が突起状となる。実際に実施されたときに、本考案は、単一の電極片１１を用いて、この場合、延長導線１３が付加されても良い、また、本考案は、２以上の電極片１１を用いる場合に、各電極片１１のサイズに応じて延長導線１３が選択的に結合される。
【００２７】
電極片１１の延長導線１３は、紡織用の複数の導電糸からなり、やや柔らかいので、延長導線１３には電線（図示せず）が電気的に接続され、電線の他端に生理計測機器（図示せず）がさらに電気的に接続されることにより、体表の電流が電極片１１、延長導線１３及び電線を経てから生理計測機器に伝送されることができ、実際に実施された場合に、延長導線１３が必ずしも設置しなければならない部材ではないので、電線（図示せず）に電極片１１が直接的に電気的に接続されても良い。
【００２８】
また、図１２に示すように、吸水手段３０は、少なくとも一つの蓄水フィラー３３と、該蓄水フィラー３３を覆う受容袋３４とをさらに含むことによって、水分が早く失われることが防止され、蓄水フィラー３３を複数用いる場合、複数の蓄水フィラー３３の散乱を避けるため、これらの蓄水フィラー３３を受容袋３４で覆って拘束し、吸水手段３０が調整可能且つ電極片１１を支持可能な構造となり、このように、蓄水及び支持の効果を有し、人の体表に本考案が貼り付けられるときに、対応する各電極片１１に吸水手段３０が密接され、体の表面の曲線に沿って密接に貼り付けられ、隙間の発生が避けられ、電極片１１に体の表面の電流が容易に伝達され、生体信号の変化を検知し易くなる。
【００２９】
受容袋３４の底部に滑り止め３１が間隔をおいて複数設けられ、防水性底層２０の上面に対応する滑り止め２１が間隔をおいて複数設けられ、対応する滑り止め２１の個々が各滑り止め３１と互いに対応され、これらの対応する滑り止め２１がこれらの滑り止め３１に対応して係合されることにより、吸水手段３０が滑ると電極片１１の外面に不均一な突起になる場合が防止できる。
【００３０】
吸水手段３０の水分が早く失われることを防止するとともに、吸水手段３０による電極片１１への湿潤効果を向上するため、図１３に示すように、受容袋３４は、互いに重ね合う透水性上層３４１と防水下層３４２を含み、防水性底層２０に防水下層３４２が接し、各電極片１１に透水性上層３４１が接触され、防水下層３４２の下面に複数の滑り止め３１が設けられ、透水性上層３４１は、布地層、紙材層又は半透明樹脂で構成されることにより、水分が透水性上層３４１、電極片１１のみを介して排出され、受容袋３４内に水分を蓄水し易くなる。
【００３１】
蓄水フィラー３３は、綿紙、綿生地、シリコン、吸水性発砲プラスチック、毛羽パルプ、ポリアクリル酸ナトリウム、又は他の同等な効果を有するアクリルポリマー、高吸水性ポリマーからなり、前記部材の形状は複数変化（例えば、球状）を有する。
【００３２】
上記のように、吸水手段３０の上端を突起状になるまま設けて（図７に示すように）、吸水後に吸水手段３０を膨張させより突起される形状となり、電極片１１が直接的に支持され、図１３に示すように、吸水手段３０は、複数の蓄水フィラー３３と受容袋３４とで組み合わせて構成された場合、これらの蓄水フィラー３３が吸水後に膨張して大きくなり、すなわち、受容袋３４の表面全体に複数の突起部３２が形成され、対応する電極片１１がこれらの突起部３２によりも支持され、このように、体表の曲線に沿ってより密接に貼り付けられている。
【００３３】
よって、本考案の防水性能付き生体信号検知構造は、少なくとも一つの電極片１１と、防水性底層２０と、少なくとも一つの吸水手段３０と、防水性上層４０との組合設計により、吸水、防水及び保湿の効果を有する外、水分が早く失われることを防ぐ効果を有し、さらに外部液体の滲入による電流伝導への影響が防止できるとともにノイズ干渉が低下され、電極片１１を吸水手段３０により湿潤し易くなり、また、吸水手段３０による吸水によって隆起させ或いはそのまま突起状に設け、電極片１１を人体の表面に接して密接に貼り付け易くなる効果を有することで、被計測者の生体信号を検出し易くなり、使用上の利便性が向上され、さらに、熱可塑性結合層（例えば、第１結合層６０又は第２結合層７０）が付加されることによって、結合して使用し易くなる外、位置決めの効果を有し、該電極片１１に吸水手段３０を位置合わせ易くなり、さらに滑りによる電流伝導への影響が避けられる効果を備える。
【００３４】
以上のように、単に本考案の好ましい具体的な実施例に過ぎず、本考案の実用新案登録請求の範囲を局限するものではなく、いずれの当該分野における通常の知識を有する専門家は、本考案の分野の中で、適当に変更や修飾などを実施できるが、それらの実施が本考案の主張範囲内に納入されるべきことは言うまでもないことである。
【符号の説明】
【００３５】
１  生体信号検知構造
１０  対応層
１１  電極片
１２  防水性接続片
１３  延長導線
２０  防水性底層
２１  対応する滑り止め
２２  防水上層
２３  布地下層
３０  吸水手段
３１  滑り止め
３２  突起部
３３  蓄水フィラー
３４  受容袋
４０  防水性上層
４１  上層開口
４２  布地上層
４３  防水下層
５０  衣服
６０  第１の結合層
６１  結合層開口
７０  第２の結合層
１１１  綱目
１１２  導電領域
３４１  透水性上層
３４２  防水下層
Ｓ１  第１の受容室
Ｓ２  第２の受容室
【図１】
0003178230.tif 000003
【図２】
0003178230.tif 000004
【図３】
0003178230.tif 000005
【図４】
0003178230.tif 000006
【図５】
0003178230.tif 000007
【図６】
0003178230.tif 000008
【図７】
0003178230.tif 000009
【図８】
0003178230.tif 000010
【図９】
0003178230.tif 000011
【図１０】
0003178230.tif 000012
【図１１】
0003178230.tif 000013
【図１２】
0003178230.tif 000014
【図１３】
0003178230.tif 000015
【図１４】
0003178230.tif 000016